(57)【要約】【課題】原画像フレームの動きベクトルに基づいて補間画像フレームを生成する倍速駆動の液晶表示装置であって，映像全体として動きぼやけ及びフリッカを目立たなくすることのできる液晶表示装置を提供すること。【解決手段】複数の要素画像のうち動きベクトルが予め設定された所定範囲の大きさである特定要素画像を検出し（Ｓ１２），複数の発光素子のうち特定要素画像各々のエッジ部又はエッジ部を含む近傍領域が属する分割領域に対応する特定発光素子のみを，補間画像フレームの表示時の発光輝度が原画像フレームの表示時の発光輝度よりも低くなるように明暗点灯させる（Ｓ２３）。【選択図】図３
2011164435.tif 000002
【特許請求の範囲】
【請求項１】
少なくとも連続する２つの原画像フレームに基づいて映像に含まれる要素画像各々の動きベクトルを検出する動きベクトル検出手段と，前記動きベクトル検出手段により検出された動きベクトルに基づいて補間画像フレームを生成する補間画像生成手段と，前記補間画像生成手段で生成された補間画像フレームを前記２つの原画像フレームの間に挿入することにより１フレームを原画像フレーム及び補間画像フレームに分割して液晶表示パネルに書き込む倍速画像書込手段と，前記液晶表示パネルの表示領域を複数の画素ごとに分割した分割領域各々に対応して設けられた複数の発光素子と，前記分割領域各々の表示映像に応じて前記発光素子各々の発光輝度を個別に制御する発光制御手段とを備えてなる液晶表示装置であって，
複数の前記要素画像のうち前記動きベクトル検出手段によって検出された動きベクトルが予め設定された所定範囲の大きさである特定要素画像を検出する特定要素画像検出手段と，
複数の前記発光素子のうち前記特定要素画像検出手段によって検出された前記特定要素画像各々のエッジ部又はエッジ部を含む近傍領域が属する前記分割領域に対応する特定発光素子のみを，前記補間画像フレームの表示時の発光輝度が前記原画像フレームの表示時の発光輝度よりも低くなるように明暗点灯させる明暗点灯手段と，
を備えてなることを特徴とする液晶表示装置。
【請求項２】
前記明暗点灯手段が，前記特定発光素子に対応する前記分割領域に表示される１フレームの映像に応じた発光輝度を前記原画像フレームの表示時の発光輝度及び前記補間画像フレームの表示時の発光輝度の合計で表現するように，前記補間画像フレームの表示時の発光輝度及び前記原画像フレームの表示時の発光輝度を制御するものである請求項１に記載の液晶表示装置。
【請求項３】
前記明暗点灯手段が，前記特定要素画像各々のエッジ部を含む近傍領域が属する前記分割領域に対応する特定発光素子のみを明暗点灯させるものであって，前記特定要素画像のエッジ部から遠ざかるに連れて明暗点灯の輝度差が小さくなるように前記特定発光素子各々の明暗点灯を制御するものである請求項１又２のいずれかに記載の液晶表示装置。
【請求項４】
前記明暗点灯手段が，前記動きベクトルが大きいほど前記補間画像フレームの表示時の発光輝度と前記原画像フレームの表示時の発光輝度との差が大きくなるように前記特定発光素子各々の明暗点灯を制御するものである請求項１〜３のいずれかに記載の液晶表示装置。
【請求項５】
前記所定範囲が，前記要素画像の動きぼやけの程度に応じて予め設定されたものである請求項１〜４のいずれかに記載の液晶表示装置。
【請求項６】
前記所定範囲が，前記要素画像の動きぼやけが発生し始める速度から，前記映像が撮影されたカメラのピンぼけが顕著となる直前の速度までの範囲として予め設定されたものである請求項５に記載の液晶表示装置。
【発明の詳細な説明】
【技術分野】
【０００１】
本発明は，液晶表示パネルの表示領域を複数の画素ごとに分割した分割領域各々に対応して設けられた複数の発光素子を備えてなり，その発光素子各々の発光輝度を個別に制御することが可能な液晶表示装置に関するものである。
【背景技術】
【０００２】
液晶テレビジョン受像機などの液晶表示装置は，多数の液晶素子を有する液晶表示パネルと，液晶表示パネルを背後から照明するバックライトとを備えている。液晶表示装置では，入力される映像信号に基づいて液晶表示パネルの液晶素子各々の駆動を制御し，該液晶素子各々の透過率を変化させる。これにより，バックライトからの光の透過量が調整され，映像信号に基づく映像が液晶表示パネルに表示される。
また，液晶表示装置では，バックライトから照射される光量が画像データに基づいて調整される。特に，バックライトが，液晶表示パネルの表示領域を複数の画素ごとに分割した分割領域各々に対応して設けられた複数のＬＥＤを有する場合には，入力される画像データに基づいて前記分割領域各々に対応するＬＥＤ各々への供給電力が個別に制御され，該ＬＥＤ各々の発光輝度が調整される。
【０００３】
ところで，液晶表示装置が，画像信号の変化時も常に表示を保持する所謂ホールド駆動で動作する場合に，動きぼやけやエッジボケが生じることは一般に知られている。
そのため，例えば特許文献１に開示されているように，バックライトを点滅させて擬似的にインパルス駆動で動作させることで，動きぼやけやエッジボケを防止することがある。また，例えば特許文献２に開示されているように，十分な発光輝度を得るために，バックライトのオフ期間でも低い輝度でバックライトの発光を継続させるように明暗点灯させることも考えられる。
特に，映像信号の周波数（例えば６０Ｈｚ）に対し倍速（例えば１２０Ｈｚ）で駆動する所謂倍速駆動の液晶表示装置では，連続する２つの原画像フレームの間にその原画像フレームの動きベクトルに基づいて生成した補間画像フレームを挿入することがあるが，その原画像フレーム間の動きベクトルが大きすぎる場合（画像の動きが早すぎる場合）には，その補間画像フレームの生成精度が低下し，動きぼやけやエッジボケの原因となる。そのため，倍速駆動の液晶表示装置では，上述したようにバックライトを点滅又は明暗点灯させることにより，動きぼやけやエッジボケを改善することが望ましい。
【先行技術文献】
【特許文献】
【０００４】
【特許文献１】特開２００７−２５６６７８号公報
【特許文献２】特開２００４−２５２１２７号公報
【発明の概要】
【発明が解決しようとする課題】
【０００５】
しかしながら，バックライトを点滅又は明暗点灯させると，オン期間とオフ期間との間で発光輝度が異なるため，表示映像にフリッカが生じるという問題がある。
ここで，前記特許文献１では，オン期間及びオフ期間の両方において同一のピーク輝度でバックライトを発光させることにより，フリッカの発生を防止する技術も開示されている。なお，この場合には，オン期間とオフ期間とにおける平均オン時間比率を変更することでオン期間とオフ期間との発光輝度が調整される。このように，オン期間及びオフ期間のピーク輝度を同一にすればフリッカの発生を抑制することは可能であるが，映像全体で見ればオン期間とオフ期間とで発光輝度の差が生じることに変わりはないため，依然としてフリッカの発生が懸念される。
従って，本発明は上記事情に鑑みてなされたものであり，その目的とするところは，原画像フレームの動きベクトルに基づいて補間画像フレームを生成する倍速駆動の液晶表示装置であって，映像全体として動きぼやけ及びフリッカを目立たなくすることのできる液晶表示装置を提供することにある。
【課題を解決するための手段】
【０００６】
上記目的を達成するために本発明は，少なくとも連続する２つの原画像フレームに基づいて映像に含まれる要素画像各々の動きベクトルを検出する動きベクトル検出手段と，前記動きベクトル検出手段により検出された動きベクトルに基づいて補間画像フレームを生成する補間画像生成手段と，前記補間画像生成手段で生成された補間画像フレームを前記２つの原画像フレームの間に挿入することにより１フレームを原画像フレーム及び補間画像フレームに分割して液晶表示パネルに書き込む倍速画像書込手段と，前記液晶表示パネルの表示領域を複数の画素ごとに分割した分割領域各々に対応して設けられた複数の発光素子と，前記分割領域各々の表示映像に応じて前記発光素子各々の発光輝度を個別に制御する発光制御手段とを備えてなる液晶表示装置に適用されるものである。
そして，本発明に係る前記液晶表示装置は，複数の前記要素画像のうち前記動きベクトル検出手段によって検出された動きベクトルが予め設定された所定範囲の大きさである特定要素画像を検出する特定要素画像検出手段と，複数の前記発光素子のうち前記特定要素画像検出手段によって検出された前記特定要素画像各々のエッジ部又はエッジ部を含む近傍領域が属する前記分割領域に対応する特定発光素子のみを，前記補間画像フレームの表示時の発光輝度が前記原画像フレームの表示時の発光輝度よりも低くなるように明暗点灯させる明暗点灯手段とを備えてなることを特徴として構成される。
ここに，前記所定範囲は，前記要素画像の動きぼやけの程度に応じて予め設定されたものである。例えば，前記要素画像の動きぼやけが生じる値から前記明暗点灯によって改善可能な値までの範囲として予め設定された範囲である。具体的に，前記所定範囲は，前記要素画像の動きぼやけが発生し始める速度から，前記映像が撮影されたカメラのピンぼけが顕著となる直前の速度までの範囲として予め設定されたものであることが考えられる。なお，人間の視覚では横方向よりも縦方向の方が動きぼやけを知覚しやすいため，前記所定範囲における下限値は，横よりも縦の方が小さいことが望ましい。
本発明によれば，前記所定範囲を適切に設定しておくことにより，動きぼやけが生じるおそれのある程度の大きさの動きベクトルに基づいて生成された補間画像フレームの表示時の輝度を，原画像フレームの表示時に比べて低くすることができ，該補間画像フレームの生成精度の低下などによって発生する動きぼやけを抑制することができる。しかも，前記特定要素画像のエッジ部に対応する前記特定発光素子のみについて明暗点灯が行われ，その他の前記発光素子については明暗点灯が行われず前記原画像フレーム及び前記補間画像フレーム各々における発光輝度が同じとなるため，全ての前記発光素子について明暗点灯を行う場合に比べて，映像全体としてフリッカを目立たなくすることができる。
【０００７】
特に，前記明暗点灯手段が，前記特定発光素子に対応する前記分割領域に表示される１フレームの映像に応じた発光輝度を前記原画像フレームの表示時の発光輝度及び前記補間画像フレームの表示時の発光輝度の合計で表現するように，前記補間画像フレームの表示時の発光輝度及び前記原画像フレームの表示時の発光輝度を制御するものであることが望ましい。
これにより，前記特定発光素子に対応する前記分割領域についても，該分割領域に表示される１フレームの映像に応じて必要な発光輝度を得ることができ，映像全体の表示輝度を適切に維持することができる。
【０００８】
また，前記明暗点灯手段が，前記特定要素画像各々のエッジ部を含む近傍領域が属する前記分割領域に対応する特定発光素子のみを明暗点灯させるものである場合には，前記特定要素画像のエッジ部から遠ざかるに連れて明暗点灯の輝度差が小さくなるように前記特定発光素子各々の明暗点灯を制御するものであることが望ましい。これにより，隣接する前記発光素子で点灯態様が異なることによる違和感を感じさせないようにすることができる。
ところで，前記動きベクトルが大きいほど，前記補間画像フレームの生成精度が低下して動きぼやけが顕著に表れると考えることができる。そこで，前記明暗点灯手段は，前記動きベクトルが大きいほど前記補間画像フレームの表示時の発光輝度と前記原画像フレームの表示時の発光輝度との差が大きくなるように前記特定発光素子各々の明暗点灯を制御するものであることが望ましい。これにより，前記動きベクトルが大きいことに起因する補間画像フレームの生成精度の低下に連動して動きぼやけを適切に防止することができる。
【発明の効果】
【０００９】
本発明によれば，前記所定範囲を適切に設定しておくことにより，動きぼやけが生じるおそれのある程度の大きさの動きベクトルに基づいて生成された補間画像フレームの表示時の輝度を，原画像フレームの表示時に比べて低くすることができ，該補間画像フレームの生成精度の低下などによって発生する動きぼやけを抑制することができる。しかも，前記特定要素画像のエッジ部に対応する前記特定発光素子のみについて明暗点灯が行われ，その他の前記発光素子については明暗点灯が行われず前記原画像フレーム及び前記補間画像フレーム各々における発光輝度が同じとなるため，全ての前記発光素子について明暗点灯を行う場合に比べて，映像全体としてフリッカを目立たなくすることができる。
【図面の簡単な説明】
【００１０】
【図１】本発明の実施の形態に係る液晶表示装置の概略構成を示すブロック図。
【図２】本発明の実施の形態に係る液晶表示装置のバックライトの概略構成を示す模式図。
【図３】本発明の実施の形態に係る液晶表示装置で実行されるバックライト制御処理の手順の一例を説明するための図。
【図４】本発明の実施の形態に係る液晶表示装置で実行されるバックライト制御処理の結果の一例を説明するための図。
【発明を実施するための形態】
【００１１】
以下添付図面を参照しながら，本発明の実施の形態について説明し，本発明の理解に供する。尚，以下の実施の形態は，本発明を具体化した一例であって，本発明の技術的範囲を限定する性格のものではない。
まず，図１を用いて本発明の実施の形態に係る液晶表示装置Ｘの概略構成について説明する。前記液晶表示装置Ｘは，例えばテレビジョン受像機や，パソコンに用いられるディスプレイ装置などである。
図１に示すように，前記液晶表示装置Ｘは，表示制御部１，液晶駆動部２，バックライト制御部３，液晶表示パネル４，バックライト５などを有している。なお，前記液晶表示装置Ｘは，一般的なテレビジョン受像機やディスプレイ装置が備える他の構成要素（チューナやスピーカ，リモコンなど）も有しているが，その点については特に従来技術と異なるところがないため，本実施の形態ではその説明を省略する。
【００１２】
前記表示制御部１は，不図示のアンテナによって受信されるテレビジョン放送や不図示の外部入力端子から入力される映像コンテンツなどに含まれた映像信号を受信し，該映像信号に基づいて垂直同期信号や水平同期信号などを生成する。そして，前記映像信号や前記垂直同期信号，前記水平同期信号は，前記表示制御部１から前記液晶駆動部２に入力される。また，前記表示制御部１は，前記垂直同期信号及び前記水平同期信号を前記バックライト制御部３に入力する。
ここで，前記表示制御部１は，テレビジョン放送の映像信号の周波数である６０Ｈｚ（１周期約１６．７ｓ）の２倍の１２０Ｈｚ（１周期約８．３ｓ）の駆動周波数の垂直同期信号を生成する。
また，前記表示制御部１は，少なくとも連続する２つの原画像フレームに基づいて映像に含まれる要素画像各々の動きベクトルを検出する。ここに，係る動きベクトルの検出処理を実行するときの前記表示制御部１が動きベクトル検出手段に相当する。例えば，動きベクトルを検出する方法としては，ブロックマッチングによる検出方法が一般的に知られている。ブロックマッチングとは，フレームを複数のブロック（領域）に分割し，現フレームにおいて定められた範囲のブロックと，次フレームにおける注目ブロックとの差分評価関数の値を計算することによって，動きベクトルを検出する方法である。
また，前記表示制御部１は，その検出された動きベクトルに基づいて前記要素画像各々の動きを予測し，その原画像フレーム間に挿入するべき補間画像フレームを生成する。ここに，係る補間画像フレームの生成処理を実行するときの前記表示制御部１が補間画像生成手段に相当する。なお，前記補間画像フレームの生成手法については，従来周知の技術であるため，ここでは詳細な説明を省略する。
【００１３】
そして，前記表示制御部１は，その２つの原画像フレームの間に前記補間画像フレームを挿入することにより１フレームを原画像フレーム及び補間画像フレームに分割して前記液晶駆動部２に出力する補間画像挿入モードで，前記液晶表示パネル４への画像の書き込みを実行する。ここに，係る処理を実行するときの前記表示制御部１が倍速画像書込手段に相当する。また，前記補間画像フレームの数が１つである倍速に限らず，前記補間画像フレームが複数枚生成されて挿入される４倍速や８倍速などであってもよい。
なお，前記表示制御部１が，前記補間画像挿入モードと，２つの原画像フレームの間に同一の原画像フレームを複数回挿入する多重表示モードとを選択的に実行し得るものであってもよい。この場合には，前記補間画像挿入モードにおいて後述のバックライト制御処理（図３参照）が実行される。
【００１４】
前記液晶表示パネル４は，液晶層と該液晶層に走査信号及びデータ信号を印加するための走査電極及びデータ電極とによって形成され，印加電圧により透過率が変化する複数の液晶素子を有する従来周知のアクティブマトリクス型の液晶パネルである。
前記液晶駆動部２は，前記表示制御部１から入力される映像信号，垂直同期信号及び水平同期信号に基づいて，前記液晶表示パネル４の走査電極（ゲート電極）及びデータ電極（ソース電極）を駆動させる。具体的に，前記液晶駆動部２は，垂直同期信号の受信後，１ライン目に対応する水平同期信号に応じて走査電極にゲート信号を出力すると共に，１ライン目に対応する画像信号をデータ電極に順次出力する。これにより，１ライン目の画像表示が行われる。その後，前記液晶駆動部２は，２ライン目に対応する水平同期信号が入力されると，２ライン目の走査電極にゲート信号を出力し，２ライン目に対応する画像信号をデータ電極に順次出力する。その後も同様の処理が繰り返されることにより前記液晶表示パネル４の全画面の画像表示が行われる。
このとき，前記液晶駆動部２は，前記表示制御部１から入力される画像信号に基づいて前記液晶表示パネル４の各画素に対応する液晶素子各々への印加電圧を制御することにより，該液晶素子各々の前記バックライト５からの照明の透過率を変化させ，該液晶素子各々の表示階調を制御する。
【００１５】
次に，図２を参照しつつ，前記バックライト５について説明する。
前記バックライト５は，前記液晶表示パネル４の背面に配置され，該液晶表示パネル４を背後から照明するものである。具体的に，図２に示す例では，前記バックライト５は，縦２８個×横５６個に配列されたＬＥＤ５１（発光素子の一例）を有している。
前記ＬＥＤ５１各々は，前記液晶表示パネル４の表示領域を複数の画素ごとに分割した分割領域Ｙ各々に対応して設けられたものであって，該分割領域Ｙ各々を前記液晶表示パネル４の背後から照射するものである。例えば，一つの前記分割領域Ｙは，縦３０画素×横３０画素から構成されたものである。
そして，前記バックライト制御部３は，前記分割領域Ｙ各々の表示映像に応じて前記ＬＥＤ５１各々の発光輝度を個別に制御する。具体的には，前記ＬＥＤ５１ごとに対応して設けられたトランジスタやＦＥＴなどの複数の切替スイッチのＯＮ／ＯＦＦにより，該ＬＥＤ５１各々への電力供給を調整して発光輝度を制御することが考えられる。ここに，係る制御を行うときの前記バックライト制御部３が発光制御手段に相当する。
【００１６】
そして，前記液晶表示装置Ｘでは，前記表示制御部１及び前記バックライト制御部３によって，後述のバックライト制御処理（図３のフローチャート参照）が実行されることにより，映像に含まれる要素画像各々の動きベクトルの大きさに応じて，前記バックライト５のＬＥＤ５１各々の発光輝度が制御される。
以下，図３に示すフローチャートに従って，前記バックライト制御処理の手順の一例について説明する。なお，図３（ａ）に示すＳ１１，Ｓ１２，…は前記表示制御部１による処理手順（ステップ）番号，図３（ｂ）に示すＳ２１，Ｓ２２，…は前記バックライト制御部３による処理手順（ステップ）番号を表す。
もちろん，ここで説明するバックライト制御処理の各処理手順の処理主体は，単なる一例に過ぎず，例えば前記表示制御部１或いは前記バックライト制御部３のいずれか一方のみによって実行されるものであってもよい。また，更に細分化された処理回路などによって各処理手順が実行されてもよい。
【００１７】
（ステップＳ１１〜Ｓ１２）
ステップＳ１１において，前記表示制御部１は，入力される映像信号のうち連続する二つの原画像フレームから映像に含まれた要素画像ごとの動きベクトルを検出する。なお，前述したように，この動きベクトルは，前記補間画像フレームの作成にも用いられる。
続いて，ステップＳ１２において，前記表示制御部１は，前記要素画像のうち前記ステップＳ１１によって検出された動きベクトルが予め設定された所定範囲の大きさである特定要素画像を検出する。ここに，係る検出処理を実行するときの前記表示制御部１が特定要素画像検出手段に相当する。
ここで，前記所定範囲は，前記要素画像の動きぼやけの程度に応じて予め設定されたものである。即ち，前記要素画像の動きぼやけが，その程度を数値化したときに所定の下限閾値以上で所定の上限閾値以下となる範囲として定められたものである。例えば，前記要素画像の動きぼやけが生じる値から，後述の明暗点灯（ステップＳ２２）によって動きぼやけがある程度の改善が可能な値（例えばカメラボケのレベル以下の値）までの範囲として予め設定すればよい。
具体的に，前記所定範囲は，前記要素画像の動きぼやけが発生し始める速度から，前記映像が撮影されたカメラのピンぼけが顕著となる直前の速度までの範囲として予め設定されたものであることが考えられる。なお，人間の視覚では横方向よりも縦方向の方が動きぼやけを知覚しやすいため，前記所定範囲における下限値は，横よりも縦の方が小さいことが望ましい。
【００１８】
（ステップＳ１３〜Ｓ１４）
次に，前記表示制御部１は，前記ステップＳ１２で特定された前記特定要素画像各々のエッジ部を検出する（Ｓ１３）。なお，前記要素画像のエッジ部を検出する方法としては，例えば一次微分で算出される輝度勾配に基づいて検出する手法や，二次微分で算出される輝度勾配における変化率に基づいて検出する手法（微分エッジ部検出）などの従来手法を用いればよい。
そして，前記表示制御部１は，前記ステップＳ１３で検出された前記特定要素画像各々エッジ部の位置を前記バックライト制御部３に通知する（Ｓ１４）。その後，処理はステップＳ１１に戻され，続くフレームについても同様の処理が繰り返される。
【００１９】
（ステップＳ２１）
前記バックライト制御部３は，ステップＳ２１において，前記表示制御部１から特定要素画像のエッジ部の位置が通知されたか否かを判断する。ここで，特定要素画像がなければ（Ｓ２１のＮｏ側），処理はステップＳ２４に移行する。ステップＳ２４では，前記バックライト制御部３は，通常通り前記原画像フレーム及び補間画像フレーム各々の表示時の発光輝度が同一となるように，全ての前記ＬＥＤ５１各々の点灯率を制御する。
これに対し，前記特定要素画像のエッジ部の位置が通知されたと判断されると（Ｓ２１のＹｅｓ側），処理はステップＳ２２に移行する。
【００２０】
（ステップＳ２２）
次に，ステップＳ２２では，前記バックライト制御部３は，複数の前記ＬＥＤ５１のうち前記特定要素画像各々のエッジ部が属する特定ＬＥＤ５１（特定発光素子に相当）を特定する。
そして，前記バックライト制御部３は，前記原画像フレーム及び前記補間画像フレームが表示されるとき，前記ステップＳ２２で特定された特定ＬＥＤ５１のみについては，前記補間画像フレームの表示時の発光輝度が前記原画像フレームの表示時の発光輝度よりも低くなるように明暗点灯させ，前記特定ＬＥＤ５１を除くその他の前記ＬＥＤ５１については，前記ステップＳ２４と同様に通常点灯させる（Ｓ２３）。ここに，係る明暗点灯を実行するときの前記バックライト制御部３が明暗点灯手段に相当する。その後，処理はステップＳ２１に戻され続くフレームについても同様の制御が実行される。
【００２１】
具体的に，前記バックライト制御部３は，前記補間画像フレームの表示時の発光輝度が，前記原画像フレームの表示時の発光輝度に比べて少なくとも１／３以下となるように制御する。但し，前記補間画像フレームの表示時の発光輝度を下げると，該補間画像フレーム及び前記原画像フレームからなる１フレームにおける発光輝度が低下することとなる。そのため，前記バックライト制御部３は，前記特定ＬＥＤ５１に対応する前記分割領域Ｙに表示される１フレームの映像に応じた発光輝度を前記原画像フレームの表示時の発光輝度及び前記補間画像フレームの表示時の発光輝度の合計で表現するように，前記補間画像フレームの表示時の発光輝度及び前記原画像フレームの表示時の発光輝度を制御する。具体的には，前記原画像フレームの表示時の発光輝度を，前記補間画像フレームの表示時の発光輝度を下げた分を補うように高くなるように制御する。これにより，１フレームの映像における発光輝度を所定レベルに維持することができる。
このとき，前記明暗点灯の発光輝度の差が常に一定であってもよいが，前記バックライト制御部３は，前記動きベクトルが大きいほど前記補間画像フレームの表示時の発光輝度と前記原画像フレームの表示時の発光輝度との差が大きくなるように前記特定ＬＥＤ５１各々の明暗点灯を制御するものであることが考えられる。これにより，前記動きベクトルが大きいことに起因する前記補間画像フレームの生成精度の低下に応じて適切に動きぼやけを防止することができる。もちろん，前記明暗点灯における発光輝度の差は，その上下限が前記ＬＥＤ５１各々の定格電流を超えない範囲で設定される。例えば，前記動きベクトルが大きくなるほど明暗点灯の発光輝度の差が比例的に（リニア）に大きくなり，その後，前記動きベクトルが所定の大きさを超えた後は，該明暗点灯の発光輝度の差を一定に維持することも考えられる。
【００２２】
以上，説明したように，前記液晶表示装置Ｘでは，前記所定範囲を適切に設定しておくことにより，動きぼやけが生じるおそれのある程度の大きさの動きベクトルに基づいて生成された補間画像フレームの表示時の輝度を，原画像フレームの表示時に比べて低くすることができ，該補間画像フレームの生成精度の低下などによって発生する動きぼやけを抑制することができる。しかも，前記液晶表示装置Ｘでは，前記特定要素画像のエッジ部に対応する前記特定ＬＥＤ５１のみについて明暗点灯が行われ，その他の前記ＬＥＤ５１については明暗点灯が行われず前記原画像フレーム及び前記補間画像フレーム各々における発光輝度が同じとなるため，全ての前記ＬＥＤ５１について明暗点灯を行う場合に比べて，映像全体としてフリッカを目立たなくすることができる。
【００２３】
以下，図４を用いて，前記バックライト制御処理の実行結果の一例について説明する。図４は，要素画像Ｆ１，Ｆ２が図４（ａ）に示す状態から図４（ｅ）に示す状態まで一定速度で移動して停止した場合を示している。ここに，図４（ａ），（ｃ），（ｅ）は原画像フレーム，図４（ｂ），（ｄ）は補間画像フレームである。
ここでは，図４（ａ）〜（ｅ）のように移動する前記要素画像Ｆ１はその動きベクトルの大きさが前記所定範囲に属さず，前記要素画像Ｆ２はその動きベクトルの大きさが前記所定範囲に属するものであるとする。即ち，前記要素画像Ｆ２のみが前記特定要素画像であり，該要素画像Ｆ２のエッジ部が属する前記分割領域Ｙに対応する前記ＬＥＤ５１が特定ＬＥＤ５１である。
【００２４】
この場合，前記バックライト制御処理が実行されると，前記表示制御部１により，前記ステップＳ１１で検出された動きベクトルに基づいて，動きベクトルが前記所定範囲に属する特定要素画像として，前記要素画像Ｆ２のみが検出される（Ｓ１２）。そして，前記表示制御部１は，前記要素画像Ｆ２のエッジ部を検出し（Ｓ１３），その位置を前記バックライト制御部４に通知する（Ｓ１４）。
これにより，前記バックライト制御部４が前記特定要素画像のエッジ部の通知を受けると（Ｓ２１のＹｅｓ側），該バックライト制御部４は，前記要素画像Ｆ２のエッジ部の位置に対応する前記特定ＬＥＤ５１を特定し（Ｓ２２），該特定ＬＥＤ５１のみについて，前記補間画像フレームの表示時の発光輝度が，前記原画像フレームの表示時の発光輝度よりも低くなるように，該特定ＬＥＤ５１を明暗点灯させる（Ｓ２３）。
【００２５】
ここに，図４（ｆ）は，前記要素画像Ｆ２のエッジ部に属する特定ＬＥＤ５１の発光輝度，図４（ｇ）は，前記特定ＬＥＤ５１を除く他のＬＥＤ５１の発光輝度を示している。なお，図４（ｆ），（ｇ）に示された破線は，前記ＬＥＤ５１各々が対応する前記分割領域Ｙに表示される１フレームの映像に応じて定まる発光輝度を示している。
図４（ｆ）に示すように，前記原画像フレームの表示時の前記特定ＬＥＤ５１の発光輝度は，該特定ＬＥＤ５１に対応する前記分割領域Ｙの表示映像に応じた発光輝度（破線）よりも高くなっている。一方，前記補間画像フレームの前記特定ＬＥＤ５１の発光輝度は，該特定ＬＥＤ５１に対応する前記分割領域Ｙの表示映像に応じた発光輝度（破線）よりも低くなっている。このように，前記原画像フレームの表示時の発光輝度に比べて前記補間画像フレームの表示時の発光輝度が低くなっているため，該補間画像フレームの生成精度の低下などに起因する動きぼやけやエッジボケの発生が防止される。
このとき，前記原画像フレームの表示時の前記特定ＬＥＤ５１の発光輝度は，前記特定ＬＥＤ５１が対応する前記分割領域Ｙに表示される１フレームの映像に応じた発光輝度を該原画像フレームの表示時の発光輝度と前記補間画像フレームの表示時の発光輝度との合計により表現するように，前記補間画像フレームの表示時の前記特定ＬＥＤ５１の発光輝度を下げた分を補うように高く設定されているため，映像全体の輝度を適切に維持することができる。
これに対し，図４（ｇ）に示すように，前記特定ＬＥＤ５１を除く他の前記ＬＥＤ５１については，前記原画像フレームの表示時の発光輝度と前記補間画像フレームの表示時の発光輝度とが同一レベルとなっている。従って，全ての前記ＬＥＤ５１を前記明暗点灯させる場合に比べて，前記液晶表示パネル４の表示映像全体としてフリッカを感じにくくすることができる。
なお，図４（ｅ）の原画像フレーム以降は，前記要素画像Ｆ１，Ｆ２が停止しているため，該要素画像Ｆ１，Ｆ２各々に対応する前記ＬＥＤ５１について図（ｇ）に示したような通常点灯が行われる。
【００２６】
ところで，本実施の形態では，前記特定要素画像のエッジ部が属する前記ＬＥＤ５１のみを特定ＬＥＤ５１とする場合について説明した。
一方，前記バックライト制御部３が，前記特定要素画像各々のエッジ部を含む近傍領域（エッジ部の周囲を含む予め定められた範囲）が属する前記分割領域Ｙに対応する前記ＬＥＤ５１を前記特定ＬＥＤ５１として明暗点灯させることも考えられる。
特に，この場合，前記バックライト制御部３は，前記特定要素画像のエッジ部から遠ざかるに連れて明暗点灯の輝度差が小さくなるように前記特定ＬＥＤ５１各々の明暗点灯を制御することが望ましい。これにより，前記特定要素画像のエッジ部の発光輝度の差が最も高く，その周囲に進むにつれて発光輝度の差が徐々に小さくなるため，前記特定ＬＥＤ５１とこれに隣接する前記ＬＥＤ５１との発光輝度の点灯態様の違いによる違和感を目立たなくすることができる。
【産業上の利用可能性】
【００２７】
本発明は，液晶テレビジョン受像機や液晶ディスプレイ装置などの液晶表示装置への利用が可能である。
【符号の説明】
【００２８】
１  ：表示制御部
２  ：液晶駆動部
３  ：バックライト制御部
４  ：液晶表示パネル
５  ：バックライト
５１：ＬＥＤ
Ｆ１，Ｆ２：要素画像
Ｘ  ：液晶表示装置
Ｙ  ：分割領域
Ｓ１１，Ｓ１２，…：処理手順（ステップ）番号
Ｓ２１，Ｓ２２，…：処理手順（ステップ）番号
【図１】
2011164435.tif 000003
【図２】
2011164435.tif 000004
【図３】
2011164435.tif 000005
【図４】
2011164435.tif 000006